(57)【要約】【課題】両手で握って使用できて十分に力が入り、しかも足で踏みつける場合に足を載せるのに十分の広さがあり容易に体重をかけて踏みつけることができ、さらに抵抗も少なく地中に深くさし込み易く、地中のミミズも傷つきにくい踏みしろ杆付き櫛歯型鋤を提供することにある。【解決手段】柄杆２の先端部にその左右幅方向に大人の足で十分に踏みつけられる突出長さを有する踏みしろ杆３を設け、踏みしろ杆３の左右両端から少し内側位置に柄杆２の反対側に向けてその先端側が同一面側に少し反っている複数本の櫛歯４を設け、柄杆２の後端部にその左右幅方向に大人の手で十分に握られる突出長さを有する把手杆５を設けた。【選択図】図１
0003121083.tif 000002
【実用新案登録請求の範囲】
【請求項１】
パイプ状の柄杆の先端部にその左右幅方向に大人の足で十分に踏みつけられる突出長さを有する踏みしろ杆をＴ字状に突出して設け、踏みしろ杆の左右両端から少し内側位置に柄杆の反対側に向けてその先端側が同一面側に少し反っている複数本の櫛歯を設け、柄杆の後端部にその左右幅方向に大人の手で十分に握られる突出長さを有するパイプ状の把手杆をＴ字状に突出して設けたことを特徴とする踏みしろ杆付き櫛歯型鋤。
【考案の詳細な説明】
【技術分野】
【０００１】
この考案は、主に田畑等を耕すときに使用する器具に係り、特に、両手で握って使用できて十分に力が入り、しかも足で踏みつける場合に足を載せるのに十分の広さがあり容易に体重をかけて踏みつけることができ、さらに抵抗も少なく地中に深くさし込み易く、地中のミミズも傷つきにくい踏みしろ杆付き櫛歯型鋤に関するものである。
【背景技術】
【０００２】
従来、例えば家庭菜園などで田畑等を耕すときには、昔から打ち鍬類が使用されてきたが、これは重たくしかも振り上げたり振り下ろしたりして田畑等を耕さなければならないので、特に高齢者や女性それに腰痛などの人にとっては重労働であり、最近は打ち鍬類に代わってスコップを使う人が増えてきている。
図３に図示する一般的なスコップ１１は、パイプ状の柄杆１２の先端部には凹面状に形成されたスコップ板１３が取り付けられ、柄杆１２の後端部には把手部１４が設けられている。また、柄杆１２の後端部の把手部１４は、柄杆１２の後端側がＹ字状に両側に開き、開いたＹ字状の両端の内側間に幅方向に握り杆１４ａが取り付けられた構造になっている。
【特許文献１】特開２００１−８１８０３
【特許文献２】特開平１１−１５８９０４
【考案の開示】
【考案が解決しようとする課題】
【０００３】
しかしながら、一般的なスコップは使用するに当たり、様々な問題点がある。即ち、柄杆の把手部の握り杆は、スコップの使用に際し片手で握ることを前提にしているため、両手で把手部の握り杆を握ってスコップを使用する場合、両手で握るには幅が狭く握りにくいので力を十分に入れにくい。また、柄杆の先端側から左右に突出するスコップ板の上端縁の踏みしろは、足で踏みつけるには柄杆から突出長さが十分でなく狭いので体重を載せながら踏み込みにくいと共に、その厚みも薄いので作業靴の裏面側にその一部がくい込むおそれもあった。さらに、スコップ板の弧状の先端の幅が広いので抵抗が大きく地中にさし込みにくい。これらの要因により、田畑を浅くしか耕すことができない。これらに加えて、スコップ板の弧状の先端の幅が広いので、田畑の土を肥やしてくれる地中の大切なミミズを切断したり傷つけたりするおそれが高かった。
【０００４】
この考案は、上記のような課題に鑑み、その課題を解決すべく創案されたものであって、その目的とするところは、両手で握って使用できて十分に力が入り、しかも足で踏みつける場合に足を載せるのに十分の広さがあり容易に体重をかけて踏みつけることができ、さらに抵抗も少なく地中に深くさし込み易く、地中のミミズも傷つきにくい踏みしろ杆付き櫛歯型鋤を提供することにある。
【課題を解決するための手段】
【０００５】
以上の目的を達成するために、この考案は、パイプ状の柄杆の先端部にその左右幅方向に大人の足で十分に踏みつけられる突出長さを有する踏みしろ杆をＴ字状に突出して設け、踏みしろ杆の左右両端から少し内側位置に柄杆の反対側に向けてその先端側が同一面側に少し反っている複数本の櫛歯を設け、柄杆の後端部にその左右幅方向に大人の手で十分に握られる突出長さを有するパイプ状の把手杆をＴ字状に突出して設けた手段よりなるものである。
【考案の効果】
【０００６】
以上の記載より明らかなように、この考案に係る踏みしろ杆付き櫛歯型鋤によれば、両手で把手杆を握って使用できるので十分に力が入り、しかも踏みしろ杆を足で踏みつける場合、踏みしろ杆は足を載せるのに十分の広さがあるので容易に体重をかけて踏みつけることができる。また踏みしろ杆は従来のスコップ板の上端縁のように厚みが薄くないので、足で踏みつけても作業靴の裏面に踏みしろ杆がくい込むことがなく危険でもない。これにより、高齢者や女性それに腰痛などの病弱者でも容易に田畑を耕すことができる。
【０００７】
しかも、地中にさし込まれる櫛歯は従来のスコップ板のように幅が広くないので、抵抗も少なく地中に深くさし込み易くなり、田畑を深く耕すことができると共に、櫛歯で幅狭であるので幅広なスコップ板に比べてミミズの切断や傷つけるおそれも小さく、土を肥やしてくれる大切なミミズも傷つきにくく保護されることになる。
【０００８】
また、例えば果樹園を営む者や造園業の人等も木などの根の回りを掘って、肥料などをやったり植え替えする場合に、木の根を切断したり傷めたりしないので非常に便利である等、極めて実用的有益なる効果を奏するものである。
【考案を実施するための最良の形態】
【０００９】
以下、図面に記載の考案を実施するための最良の形態に基づいて、この考案をより具体的に説明する。
ここで、図１は踏みしろ杆付き櫛歯型鋤の正面図、図２は踏みしろ杆付き櫛歯型鋤の側面図である。
【００１０】
図において、踏みしろ杆付き櫛歯型鋤１は、パイプ状の柄杆２、柄杆２の先端部に設けられた踏みしろ杆３、踏みしろ杆３に柄杆の反対側に向けて設けられた複数の櫛歯４、柄杆２の後端部に設けられた把手杆５から構成されている。
【００１１】
踏みしろ杆付き櫛歯型鋤１は、両手で把手杆５を握って使用できるので十分に力が入り、しかも踏みしろ杆３を足で踏みつける場合、踏みしろ杆３は足を載せるのに十分の広さがあるので容易に体重をかけて踏みつけることができ、また地中にさし込まれる櫛歯４は幅が広くないので、抵抗も少なく地中に深くさし込み易く、地中のミミズも傷つきにくい特徴を備えている。
【００１２】
柄杆２は、内部が中空な円筒形の一定の長さのパイプ状からなり、土を耕す際には片手で握られる部分で、又土を耕す際には土からの抵抗で荷重が作用するために或る程度の強度が要求され、例えば金属製管が使用される。
【００１３】
一定の長さの柄杆２は、その先端部側に踏みしろ杆３と複数の櫛歯４が設けられ、後端側には両手で握られる把手杆５が設けられている。このように、柄杆２は踏みしろ杆付き櫛歯型鋤１の主要部分を構成する。
【００１４】
柄杆２は握り易いように例えば、その直径は２．７cm前後、またその長さは６８cm前後になっている。大きい人が使用する場合には、直径がこれよりも太くその長さもより長い柄杆２が使用されるのは勿論である。
【００１５】
踏みしろ杆３は、パイプ状の柄杆２の先端部にその左右幅方向に大人の足で十分に踏みつけられる突出長さを有する状態でＴ字状に突出して設けられている。踏みしろ杆３は地中を耕す場合に、櫛歯４が地中にさし込み易くするために、足の裏で踏みつけられる部分である。
【００１６】
柄杆２からその左右幅方向に突出する踏みしろ杆３のそれぞれ突出長さは、大人の足で容易に踏みつける長さ、この例では例えば左側及び右側の各片方側にそれぞれ１２〜１３cm前後突出している。このため、柄杆２から側方に突出する左右の踏みしろ杆３に確実にしかも容易に足を載せて踏みつけることができる。
【００１７】
踏みしろ杆３には、例えば内部が中空な角筒形の一定の長さの角形パイプが使用されている。踏みしろ杆３は、土を耕す際には足で踏みつけられる部分で、踏みつけによる荷重及び櫛歯４を通じての土からの反力で荷重が作用するために或る程度の強度が要求され、例えば金属製管が使用される。
【００１８】
踏みしろ杆３には例えば角形パイプが使用されているので十分な厚みがあり、その上から作業靴で踏んでも、作業靴の裏面の一部に踏みしろ杆３の上端側がくい込むというおそれもなく、安全である。
【００１９】
図面では、踏みしろ杆３はパイプ状の柄杆２の先端にこれに直交する状態で一体で取り付けられている。つまり柄杆２に対して直交する踏みしろ杆３の長さ方向の中点部分がパイプ状の柄杆２の先端に溶接などによって一体的に固着して取り付けられている。
【００２０】
複数の櫛歯４は、柄杆２の先端から左右幅方向にＴ字状に突出する踏みしろ杆３の左右両端から少し内側位置に柄杆２の反対側に向けて設けられている。また、複数の各櫛歯４はその先端側が同一面側に少し反っている状態に形成されている。複数の櫛歯４は、田畑を耕す場合に、その先端側が地中に直接さし込まれて、土を掘り返す機能を果たす。
【００２１】
複数の櫛歯４は、地中にさし込む場合、簡単に折れたりしないように、或る程度の強度のある金属製の材質から作られている。複数の櫛歯４の先端側は同一面側に少し反っているが、これは土を掘り返す場合に、反っている側に掘った田畑の土をのせて掘り返し易くするためである。また、各櫛歯４の先端４ａは尖っていて、地中にさし込み易くなっている。
【００２２】
図面では、複数の櫛歯４は３本からなる。図面の３本の櫛歯４のうち、その真ん中の櫛歯４は踏みしろ杆３を挟んで柄杆２の反対側の延長線上に取り付けられている。真ん中の櫛歯４を挟んでその左右両側には等間隔で端部側に位置する櫛歯４がそれぞれ取り付けられている。
【００２３】
端部側に位置する櫛歯４は、それぞれ踏みしろ杆３の長さ方向の両端から一定の長さだけ中央側寄りに移動した位置に設けられている。端部側に位置する櫛歯４は図面では踏みしろ杆３の両端部から例えば５cm程中央側寄りに設けられている。
【００２４】
地中に直接さし込まれる櫛歯４は、幅方向に間隔があいているので幅広なスコップ板に比べてミミズの切断や傷つけるおそれも小さく、土を肥やしてくれる大切なミミズも傷つきにくく保護されることになる。また、地中にさし込まれる櫛歯４は従来のスコップ板のように幅が広くないので、抵抗も少なく地中に深くさし込み易くなり、田畑を深く耕すことができる。
【００２５】
把手杆５は、柄杆２の後端部にその左右幅方向に大人の手で十分に握られる突出長さを有する状態でＴ字状に突出して設けられている。把手杆５は地中を耕す場合に、両手に握ることができるようにして力が入りやすくして、力が弱い高齢者や女性あるいは病弱者でも、櫛歯４が地中にさし込み易くするために設けられている。
【００２６】
柄杆２からその左右幅方向に突出する把手杆５のそれぞれ突出長さは、大人の手で容易に握ることができる長さ、この例では例えば左側及び右側の各片方側にそれぞれ１４〜１５cm前後突出している。このため、柄杆２から側方に突出する左右の把手杆５を確実にしかも容易に両手で握ることができる。
【００２７】
把手杆５は、内部が中空な円筒形の一定の長さのパイプ状からなり、例えば内部が中空な円筒形の一定の長さの円形パイプが使用されている。把手杆５は、土を耕す際に櫛歯４を通じての土からの反力で荷重が作用するために或る程度の強度が要求され、例えば金属製管が使用される。
【００２８】
図面では、把手杆５はパイプ状の柄杆２の先端にこれに直交する状態で一体で取り付けられている。つまり柄杆２に対して直交する把手杆５の長さ方向の中点部分がパイプ状の柄杆２の先端に溶接などによって一体的に固着して取り付けられている。
【００２９】
次に、上記考案を実施するための最良の形態の構成に基づく使用について以下説明する。
踏みしろ杆付き櫛歯型鋤１を使用して田畑を耕す場合には、例えば左手で柄杆２の中央より少し先端側寄りを握り、右手で柄杆２の後端側に設けた把手杆５を握り、柄杆２の先端側の複数の櫛歯４を耕す田畑の表面に上方から突き刺して、複数の櫛歯４の尖った先端４ａを地中にさし込む。
【００３０】
この後、手を持ち替えて、両手で柄杆２の後端側に設けた把手杆５を握り、例えば右足を柄杆２の右側に突出している踏みしろ杆３の上にのせて踏みつける。この場合、足による踏みつけと両手で下向きに押し付ける動作を連動させることにより、高齢者や女性のように力が弱い者でも、容易に櫛歯４を地中に深くさし込むことができる。
【００３１】
特に、地中に直接さし込まれる櫛歯４は、幅方向に間隔があいているので幅広なスコップ板に比べてミミズの切断や傷つけるおそれも小さく、土を肥やしてくれる大切なミミズも傷つきにくく保護されることになる。また、地中にさし込まれる櫛歯４は従来のスコップ板のように幅が広くないので、抵抗も少なく地中に深くさし込み易くなり、田畑を深く耕すことができる。
【００３２】
そして、踏みしろ杆３を踏みつけている足と把手杆５を握っている両手を連動させながら、てこの原理を利用して地中にさし込んでいる櫛歯４を前方側に向けておこすことにより、土を容易に掘り起こすことができる。
【００３３】
なお、この考案は上記考案を実施するための最良の形態に限定されるものではなく、この考案の精神を逸脱しない範囲で種々の改変をなし得ることは勿論である。前記の最良の形態の説明において、複数の櫛歯４は３本の場合で説明したがこれに限定されるものではなく、２本でもよく、或いは４本でも可能である。また、複数の櫛歯４は柄杆２を中心として左右対称位置に設けられる。さらに、端部側に設けられる櫛歯４は踏みしろ杆３の両端から少し中央寄り側の位置に設けられる。
【図面の簡単な説明】
【００３４】
【図１】この考案を実施するための最良の形態を示す踏みしろ杆付き櫛歯型鋤の正面図である。
【図２】この考案を実施するための最良の形態を示す踏みしろ杆付き櫛歯型鋤の側面図である。
【図３】従来のスコップの正面図である。
【符号の説明】
【００３５】
１    踏みしろ杆付き櫛歯型鋤
２    柄杆
３    踏みしろ杆
４    櫛歯
４ａ  先端
５    把手杆
【図１】
0003121083.tif 000003
【図２】
0003121083.tif 000004
【図３】
0003121083.tif 000005